(57)【要約】【課題】  眼鏡の裏面側にのみ存在して着脱が容易であり、取付後の移動量も少なく、しかも楽しく使用することができる眼鏡用の視力矯正具及びそれらに取付可能な装飾物の提供を目的とする。【解決手段】  目の周囲に接合して片方の目を覆うカバー本体の一端から、その中心部に向って眼鏡の鼻当支持具に差込んで止めるための差込手段を設けた、前記カバー本体の他端側には、眼鏡のつるの部分に対して圧着した状態で取付ける取付具を設けることで、着脱が容易な眼鏡用の視力矯正具とした。  また、前記カバー本体には後付け可能な模様を付けたり、眼鏡に着脱可能な装飾物を取付けることで、子供たちが楽しく使えるようにしたものである。【選択図】図１
2008058920.tif 000002
【特許請求の範囲】
【請求項１】
目の周囲に接合して片方の目を覆うカバー本体と、
このカバー本体の一端から、その中心部に向って設けると共に、眼鏡の鼻当支持具に差込んで取付ける差込手段と、
この差込手段が設けられていない前記カバー本体の他端側で、眼鏡のつる部分に圧接した状態で取付ける取付具とからなる眼鏡用の視力矯正具。
【請求項２】
片方の目を遮光した状態で覆うと共に、眼鏡に取付けた状態では、その上下方向の形状を対称形にして、鍔部分を含めて１枚の布状物で形成した帽子状のカバー本体と、
このカバー本体の前記鍔部分の外形から、その中心部に向って設けると共に、眼鏡の鼻当支持具に差込んで取付ける切込みよりなる差込手段と、
この差込手段が設けられていない前記カバー本体の他端側で、眼鏡のつる部分に圧接した状態で取付けるために、伸縮自在な材質で形成した取付具とからなる眼鏡用の視力矯正具。
【請求項３】
目の周囲に接合して片方の目を覆うと共に、眼鏡に取付けた状態では、その上下方向の形状を対称形に形成したカバー本体と、
このカバー本体の両端部に設けた眼鏡への取付手段と、
前記カバー本体とは別体に形成して、このカバー本体に後付け可能な装飾物とからなる眼鏡用の視力矯正具。
【請求項４】
目の周囲に接合して片方の目を覆う視力矯正具を取付け可能な眼鏡と、
この眼鏡や前記視力矯正具に後付けられると共に、前記視力矯正具を用いる目を選択した場合に、模様の逆付けが生じないように使用する目にあわせて、後付け可能に形成した飾りとからなる装飾具。
【請求項５】
目の周囲に接合して、片方の目を覆う視力矯正具を取付可能で、耳掛用のつるを有する眼鏡と、
この眼鏡の前記つるに着脱可能で、このつるに対してスライド移動すると共に、前記眼鏡の外方に突出して位置するようにした飾りとからなる装飾物。
【発明の詳細な説明】
【技術分野】
【０００１】  本発明は弱視の視力を向上させる理由で、眼鏡に取付けて用いる視力矯正具を小形化すると共に、その取付けを簡略化して、楽しく使用できるように改善した眼鏡用の視力矯正具及びそれらに取付け可能な装飾物に関する。
【背景技術】
【０００２】  本発明の従来例としては、ちりとり形に形成したカバーの両端に、眼鏡の鼻当を通す孔１６と、つる部分を通すブリッヂ状のつる用通し部１７を設けると共に、レンズの表裏面を覆うように形成した眼鏡取付型アイパッチがある。（例えば特許文献１参照）
【特許文献１】  特開２００５−３４５８６８号公報（第４頁、図１）
【発明の開示】
【発明が解決しようとする課題】
【０００３】  特許文献１に示す眼鏡取付型アイパッチは、ちり取り形のカバーの一端に設けた鼻当を通す孔１６の大きさは、鼻当を通すために必要な大きさの孔１６を設けなければならない。鼻当が通過したあとの孔１６には、細い棒状の鼻当支持具が位置するだけであるから、カバーの移動量が大きくなってしまう。従ってカバーの大きさも、カバーの移動量を考慮した大形に形成する必要がある。
カバー他端側に設けた眼鏡のつる通し部１７は、眼鏡のつるが通る大きさであるが、子供は運動量が大きく眼鏡が落下してしまうことに配慮して、つるの先端部には耳の周囲に当接させることで、その移動や落下を阻止するための摩擦材よりなり、羽根状のロック部材を装着することが多い。
このロック部材を装着すると、つる通し部１７につるを通すことができないので、ロック部材を取外してからつるを通さなければならない。このロック部材は１対のつるのそれぞれに取付けられ、すぐに外れないように摩擦材で形成されており、その着脱が困難であると言う欠点がある。
レンズの表裏面を覆うアイパッチは、内側布地１１と外側布地１２との両方に１対よりなる面ファスナーを取付けて両者を固着する理由で、製造が複雑になるだけでなく全体の形状が大型化して、使用中にうっとうしくなったり、図３で示したようなはさみでその周囲を切り取って、小型化したりすることがほとんど不可能であった。
換言すると、この眼鏡型アイパッチは、取付構造の関係でカバーの移動量が大きくなり、その着脱が困難であると言う欠点があった。眼鏡レンズの表裏面を覆う構成なので構造が複雑であり、大きなレンズにも対応しなければならないので、全体形状が更に大きくなってしまうという欠点もあった。
また、眼鏡に取付けたアイパッチの形状は、上下が非対称形なので、どちらかの目に使用すると違和感を覚え、特にアップリケ１８を設けると、逆さ模様になる場合があるという大きな欠点もある。
本発明は、このような欠点を解消するためになされたものであり、小型化されて取付けが簡単であり、しかも楽しく使用することができる眼鏡用の視力矯正具及びそれらに取付け可能な装飾物の提供を目的とする。
【発明を解決するための手段】
【０００４】  上記不具合を解消するために、本発明は次のような構成としている。
請求項１に記載した眼鏡用の視力矯正具は、目の周囲に接合して片方の目を覆うカバー本体の一端から、その中心に向って眼鏡の鼻当支持具に差込んで止めるための差込手段を設けた。
また、前記カバー本体の他端側には、眼鏡のつるの部分に対して圧着した状態で取付け可能な取付具を設けることで、眼鏡用の視力矯正具とした。
このカバー本体は、その一端を鼻当支持具に差込むと共に、他端側は眼鏡のつるに圧着するように取付けられるから、眼鏡に対するカバー本体の移動は非常に少ない。
請求項２に記載した眼鏡用の視力矯正具は、請求項１に記載した眼鏡用の視力矯正具を、１枚の布状物で鍔付の帽子状に形成することで、眼鏡に装着した状態で上下が対称形になるように形成した。
カバー本体を上下対称形にすることによって、左右の目に対して共通化できると共に、非対称形による装着時の違和感を排除したものである。
請求項３に記載した眼鏡用の視力矯正具は、請求項１及び請求項２に記載した眼鏡用の視力矯正具と別体に形成すると共に、カバー本体や眼鏡に後付けできる装飾物を設けることで、眼鏡用の視力矯正具とした。
装飾物を後付け可能にしたことで、この視力矯正具を左右のどちらの目に使用しても逆さ模様になることがないものである。
請求項４に記載した装飾物は、請求項１乃至請求項３に記載した眼鏡用の視力矯正具や眼鏡に後から取付けることで、使用者の目にあわせて模様が逆さまにならないようにした装飾物である。
このような装飾物によれば、使用中の違和感がない状態で使用することができる。
請求項５に記載した装飾物は、請求項４に記載した飾りを眼鏡のつるに対して着脱可能で、かつ、スライド移動すると共に、眼鏡の外方に突出して位置するようにした装飾物である。このような飾りによれば、立体的な飾りを取付できるだけでなく、その日の気分や場所などによって装飾物を選択使用できるし、眼鏡に単独でも使えるものである。
【発明の効果】
【０００５】  本発明によれば、カバー本体の一端を鼻当支持具に差込んで他端は眼鏡のつるに取付けるだけであるから装着が非常に簡単であるばかりでなく、レンズの表裏面を覆う構成でないから、眼鏡全体を見ることができて視力矯正具を取付けても、違和感はそれほど感じられない。
眼鏡の鼻当支持具は、眼鏡によって取付位置は異なるが、カバー本体の鍔部分に切込みを入れて差込むだけであるから、購入者がその眼鏡に合せて切込みの位置を決めれば、眼鏡と視力矯正具は常にその中心を一致させて取付けることができる。
カバー本体は１枚布よりなる帽子状であり、縫い合せ部分が少ないので、使用状況に合せてカバー本体の周囲をカットすることが容易である。
カットの容易さは使用する子供や眼鏡の大きさに合せられるから、装着時の違和感が更に少なくなる。
カバー本体を装着する場合に、左右の目に共用できるように上下の形状を対称にしたことと、装飾物を後から着脱可能にしたことにより、模様などの逆付けが無くなったばかりでなく、使用状況に応じて装飾物の選択使用ができるようになった。更に装飾物は視力矯正具なしでも使用できるので、おしゃれな眼鏡としても活用できるなど、大きな効果を得ることができた。
【発明を実施するための最良の形態】
【０００６】  本発明について、図面を参照して説明する。図１は本発明の眼鏡用の視力矯正具を示す斜視図、図２は図１の分解斜視図である。
図１で示すように本発明の眼鏡用の視力矯正具１０は、その頂部を片寄らせると共に、頂部からの一方を急斜面、他方を緩斜面とした長円形の帽子状であり、その長手方向の緩斜面の先端部を鍔状に形成した帽子状のカバー本体１２と、このカバー本体の鍔１３部分からその中央部に向って設けた差込手段と、この差込手段と対向する面の前記急斜面に設けた取付具２５とからなる。
差込手段２０は眼鏡の鼻当支持具に差込むもので、取付具２５は眼鏡のつるに取付けるためのものである。
このようなカバー本体１２と取付具２５とについて、更に詳細に説明する。
カバー本体１２は、フェルトや皮などの生地からなる。
この記事は黒色地なら１枚で形成しても良いが、一般的には男子用、女子用に合せた配色で、それらの裏面側を黒色とした二枚合せの生地にしている。
その理由としては、覆った片方の目をあけても、外光が見えない様にするためである。
２枚重ねにした生地は熱圧着により接合する接合手段などを用いており、図２で示すように略円形に切断した生地１１の一端に、三角形の切抜き１５を設けると共に、この切抜き１５と対向する鍔１３の部分に差込手段２０となる切込み２１を設けている。
この切込みは鍔１３の外形から、カバー本体１２の中心部に向って設けた切込み２１であり、眼鏡に設けられている鼻当支持具に差込むものである。また、この切込み２１の終端には三角形の小さな切抜部が設けられ、ここを位置決め２２として鼻当支持具の棒状部分を位置決めするようにしている。
このように形成した生地１１は、図２で示す三角形の切抜き１５部分の切断した辺にそって、図示した点線部分同士を縫合せすることで、帽子状に湾曲したカバー本体１２となる。この縫合せ１６部分に、合成樹脂よりなるコイル状のスプリング２６を、同時に縫い合せして固着し、眼鏡のつるに対する取付具２５としている。
この取付具２５となるコイル状のスプリング２６は、引っ張ると延びるもので、延ばした状態で、眼鏡のつるに巻付けてから手を離すと、そのまま縮んで取付けることができる。
このような取付具２５は、キーホルダー等に用いられる伸縮自在な紐状物として用いられる市販品である。
また、取付具２５となるコイル状のスプリング２６の先端部には、球状物などを取付けて、引っ張るためにつまんだ場合の、外れ防止用のストッパーを兼用した飾りとして設けると巻付けの操作性が良くなる。
図１で示す取付具２５はその一端側を固着したが、コイル状のスプリングを２６を急斜面に沿って配置し、その両端部を縫い合せ部分に固着するようにして、取付具としても良い。【０００７】  このように形成した眼鏡用の視力矯正具の使用例について、図面を参照して説明する。図３は図１の使用例で眼鏡に対する取付を示す説明図、図４は図３の取付完了を示す説明図である。
眼鏡用の視力矯正具１０は、矯正すべき目と反対側の目を覆うようにして用いるもので、図３で示すように取付ける。
すなわち、湾曲した凹面側で目を覆うように設定すると共に、差込手段２０として設けた切込み２１を、眼鏡の鼻当２を支持する鼻当支持具３に差込んでその一端側を取付ける。
他端側は、取付具２５であるコイル状のスプリング２６の先端を引っ張りながら眼鏡のレンズ４側で、つる５に巻付けて取付ける。延ばした状態のスプリング２６から手を離すと、縮まりながら図４で示すようにつるにしっかりと取付けることができる。
図１で示した眼鏡用の視力矯正具１０は、一方を鼻当支持具３に差込んで、他方はつる５に取付具２５を巻付けるだけであるから、装着が簡単であり、取付後に移動することも無いので、移動を考慮してカバー本体を大形化する必要もなく、眼鏡に合せた最良の大きさに設定することができる。
換言すれば小形化できるから、使用中のうっとうしさも減少し、その使用に早く慣れることができる。
尚、取付手段２５としてコイル状のスプリング２６を用いて説明したが、輪形にしたゴム紐を取付けて引っ張りながら眼鏡のつるを通す様にしても、ゴムが伸縮するので移動量の少ない取付けができる。【０００８】  本発明の他の例について説明する。図５は本発明の他の例で、眼鏡用の視力矯正具を示す斜視図である。
本発明の他の例で示す眼鏡用の視力矯正具３０は、前述例と同様にカバー本体３２と、このカバー本体の一端に設けた鼻当支持具に差込む差込手段４０と、この差込手段の設けられていないカバー本体の他端側に設けた取付具４５とからなる。
差込手段４０は前述例と同様にカバー本体３２の鍔部外形から、その中央部に向って設けた切込みよりなるもので同じであるが、その終端に設けた位置決め４２は、丸形の切抜きを設けて眼鏡の鼻当支持具を位置決めしている。但し、前述例の三角形の切抜でも良いことはもちろんである。位置決め４２の形状が変っただけであるから、その詳細な説明は省略する。
このようなカバー本体３２を取付具４５とについて、前述例との相違点を更に詳細に説明する。
図５で示すようにカバー本体３２は、その形状を湾曲形成するために図２で示した三角形の切抜き１５を、互いに少し離間させた２個所に設けると共に、図２の例と同様に接合３４することで、より立体的な湾曲を得るものである。
取付具４５は、前述例を同様に眼鏡のつるに取付けるものであり、この例では幅広のゴム紐を用いており、２個所の接合３４部分を縫い合せする際に、同時に縫い合せすることで取付けている。
このゴム紐はカバー本体３２とは密接する状態で配設され、引き延ばしてつるを通すことで眼鏡に取付けることができる。
またゴム紐の代りに図１で示したコイル状のスプリングを用いて、その両端を図５の如く取付けても良い。
このように形成した眼鏡用の視力矯正具３０も、目を覆うような状態で眼鏡に取付けて用いる。
尚、図５で示したカバー本体３２に対して３個所の接合３４を配置させる例でも良い。例えば図１で示した例の接合１４の他に、図５で示した１対の接合３４を更に離間させて３個所とするものである。
このような構成によれば、より立体的に湾曲したカバー本体が得られ、取付具も図１で示したように配設するものである。【０００９】  以上説明した眼鏡用の視力矯正具には、模様や装飾を施すことができるものであり、これについて図面を参照して説明する。図６は眼鏡用の装飾物を示す説明図である。
カバー本体に直接装飾を施す場合は、本発明のカバー本体が左右の目に兼用できる理由で、取付後にその上下が明瞭でない幾何学模様や、一般的な模様であっても、同様に上下の判別がつかないような模様を用いている。
また、上下のわかる模様や装飾物などについては、使用者側で選択して使用できるように、装飾物の裏面側に熱圧着や両面接着テープ等の取付手段を施して、カバー本体に取付けるようにしても良い。
本発明のカバー本体は、眼鏡レンズの内側にのみ位置するために、フレームなどによって模様や装飾物の一部が隠れて本来の目的が達成できない場合がある。そこで図６で示すように眼鏡のフレーム部分やレンズ４の表面側に、両面接着テープ等を用いて装飾物５０を取付けると、装飾付きの眼鏡レンズとなり、一般的には考えられない形態になって、不快感を伴いがちな視力矯正具も、子供が喜んで使用することができるものである。
このような取付けによれば、図６で示したように装飾品はレンズ４から食み出したり、レンズ一面を利用した大きさ又は、レンズ面に親子の動物のように複数種類の装飾を取付ける構成でも良い。
このような模様や装飾物を取付けたカバー本体は、眼帯としても子供や大人にまで使用することができるし、眼鏡のレンズに取付けると、更に変化に富んだ装飾物として楽しむことができる。【００１０】  装飾物を眼鏡のつるなどに着脱可能にすると、その日の気分や服装に合せて、容易に変えることができるだけでなく、立体的な装飾物を使うことができる。
レンズ面に取付ける装飾物は、視界を遮ることになりカバー本体を取付けたレンズ側にしか使用できないが、眼鏡のつるに取付ける構成は、視界を遮らないので、左右どちらの側にも取付けることができる作用も持っている。
このような例の装飾物について、図面を参照して説明する。図７は眼鏡のつるに取付ける装飾物を示す斜視図、図８は図７の取付けを示す説明図である。
眼鏡のつるに取付ける装飾物について、蝶を用いた例で説明する。
装飾物６０は図７で示すように装飾本体６２の一部に、眼鏡のつるに取付けるための取付具６５を取付けている。この取付具６５は蝶の一部に取付けた輪形を介してコイル状のスプリング６６を取付けたものであり、スプリング６６の先端にはスプリングを引延ばすための玉状の抓み６７を設けている。
このコイル状のスプリング６６は、合成樹脂製のスプリングを用いて引延ばして手を離すと、元の形に戻るようなスプリングである。
このように形成した装飾品６０は、図８で示すようにスプリング６６を引延ばした状態で、つるに数回巻付けてから指を離すとスプリングは図中の矢印で示すように、装飾本体６２側に移動した状態となって取付けが完了する。
図８の取付例はレンズの側方に取付けた例であり、つるにそって動かすことも可能である。【００１１】  装飾物の他の例について、図面を参照して説明する。図９は他の例の装飾物を示す説明図、図１０は図９を眼鏡のつるに取付けた状態を示す説明図である。
図９で示すように装飾本体７２は熊の例で示してあるが、特に限定するものではない。尚、この熊は簡略化の理由で平面的に描かれているが、立体的な熊の装飾品であり胴体の下方には円柱状の突起７３が設けられ、この部分につるに取付けるための取付具７５となる前述例と同様のスプリング７６を差込んで固着している。
図７で示した前述例のスプリング６６は眼鏡のつるに巻付けできる程度の長さであったが、図９で示すコイルスプリング７６は長めに設定しており、その先端には前述例と同様の抓み７７又は抓みを兼用した飾りを取付けている。
このように形成した他の例の装飾物７０を使用するには、図１０で示すように眼鏡のつる５に前述例と同様に取付ける。
すなわちスプリング７６を図８で示したように、引き延ばしながら眼鏡のつる５に数回巻付けてから指を離すと取付けが完了する。
スプリング７６を長くした取付具７５は、スプリングのどの部分を巻付けるかによって取付状況が変化するという面白さを持っている。例えば図１０で示すものはスプリングの中間部をつるに巻付けると、装飾本体７２が起立した状態で取付けられる。
このような取付けによれば、残ったスプリング部分を利用して装飾物全体の取付けイメージを変えることも可能である。抓み７７を軽量化すれば装飾物と同様に起立し、抓み７７を重くすれば図１０で示したように横方向に倒した状態に設定することもできる。
更に、コイル状のスプリング７６の強度を選択することにより、起立状態を長くして、歩行のたびに装飾物７０が揺れるように形成することも可能で有る。
スプリングの巻付位置としては、装飾本体７２側であったり、抓み７７側であったりすると、また違った取付になるものである。【００１２】  装飾物８０のその他の例について、図面を参照して説明する。図１１は装飾物のその他の例を示す説明図である。
その他の例で示す装飾具８０は、１対の装飾本体８２とこの装飾本体を、眼鏡のつるに取付ける取付具８５とからなる。
装飾本体８２はどのような組合せの飾りでも良く少なくとも２個以上の飾りよりなる。
取付具８５は、その中間部を湾曲させた少なくとも２本以上の平行する線８６と、これらの平行線を結束する締付体８７とからなる。
この締付体８７は前述したコイル状のスプリングやビニールチューブの如く軟質性の短く切断したチューブよりなり、線８６にそって図中の矢印方向に移動するように取付けている。
また線８６として、装飾本体８２を起立状態に支持可能な線をチューブなどで被覆したものを用いると、眼鏡のつるに対して起立した状態でつるの上方に配置させることもできるが、それに限定することなく紐を用いて、眼鏡のつるから吊下げるようにしたものでも良い。
このように形成した装飾物８０の使用例について説明する。この装飾物８０も前述例と同様に、眼鏡のつるに取付けるものである。
取付具８５の使用方法は、締付体８７を装飾本体８２側に移動させてから、線８６の湾曲部分に眼鏡のつるを通し、締付体８７を線８６の湾曲側に移動することによって、つる部分に締付けるようにして取付けるものである。
この場合に、装飾本体８２をつるの上方に位置させれば、装飾物８０は起立状態に取付けられ、つるの下方に位置させれば、装飾本体８２を吊下げた状態で取付けできるものである。
前述したコイル状のスプリングを、締付体として用いる場合も、スプリングの内部に線８６を位置させるものであり、取付例もチューブの場合と同じである。【００１３】  以上説明したこれらの眼鏡のつるに取付ける装飾物によれば、簡単に着脱ができるだけでなく、立体的な装飾を使って変化に富んだ取付けができるものである。このようなことは装飾物を選ぶことによって、大人の使用にも耐えるものである。
しかも、視力矯正用に限定することなく、おしゃれな眼鏡としても対応することが、可能であるという大きな作用と効果を持っている。
取付具として説明したコイル状のスプリングは、眼鏡によってつるの太さに違いがあっても、巻付けによる取付なので、太さの違いを吸収した取付ができるものである。コイル状のスプリングの他に、つるを挟むようにして取付ける取付具や、つるに対して嵌め込んで取付ける構成でも良い。
また、図１乃至図５で示した差込手段は、購入者が眼鏡に合わせて切込むことにより、眼鏡と視力矯正具との位置関係を最適にするものであり、切込み終端に設けた三角形の切り抜きも含めて、購入者側で加工するほうが良い。
【図面の簡単な説明】
【００１４】
【図１】  本発明の眼鏡用の視力矯正具を示す斜視図である。
【図２】  図１の分解斜視図である。
【図３】  図１の使用例で眼鏡に対する取付を示す説明図である。
【図４】  図３の取付完了を示す説明図である。
【図５】  本発明の他の例で眼鏡用の視力矯正具を示す斜視図である。
【図６】  視力矯正具に用いる眼鏡用の装飾物を示す説明図である。
【図７】  眼鏡のつるに取付ける装飾物を示す斜視図である。
【図８】  図７の取付けを示す説明図である。
【図９】  眼鏡のつるに取付ける他の例の装飾物を示す説明図である。
【図１０】  図９の取付状態を示す説明図である。
【図１１】  装飾物のその他の例を示す説明図である。
【符号の説明】
【００１５】１０  眼鏡用の視力矯正具
１２  カバー本体
１３  鍔
２０  差込手段
２５  取付具
３０  眼鏡用の視力矯正具
３２  カバー本体
４０  差込手段
４５  取付具
５０  装飾物
６０  装飾物
６２  装飾本体
６５  取付具
７０  装飾物
７２  装飾本体
７５  取付具
８０  装飾物
８２  装飾本体
８５  取付具
８７  締付体
【図１】
2008058920.tif 000003
【図２】
2008058920.tif 000004
【図３】
2008058920.tif 000005
【図４】
2008058920.tif 000006
【図５】
2008058920.tif 000007
【図６】
2008058920.tif 000008
【図７】
2008058920.tif 000009
【図８】
2008058920.tif 000010
【図９】
2008058920.tif 000011
【図１０】
2008058920.tif 000012
【図１１】
2008058920.tif 000013